(57)【特許請求の範囲】
【請求項１】
撮影レンズを有するレンズ鏡筒ユニットをカメラボディに装着して使用するレンズ交換式カメラであって、
前記レンズ鏡筒ユニットをカメラボディに固定するための可動機構と、
前記レンズ鏡筒ユニット挿入部の前面を覆うバリアと、
を具備し、前記可動機構は少なくとも、
前記バリアを開き前記レンズ鏡筒ユニットをカメラボディに対し着脱可能にする第１のポジションと、
前記レンズ鏡筒ユニットの非装着状態で前記バリアを閉じる第２のポジションと、
を具備することを特徴とするレンズ交換式カメラ。
【請求項２】
前記可動機構はさらに、前記レンズ鏡筒ユニットの装着状態で前記バリアが開かれる第３のポジションを具備することを特徴とする請求項１に記載のレンズ交換式カメラ。
【請求項３】
前記可動機構の前記第３のポジションにおいては、さらに前記レンズ鏡筒ユニットの前記撮影レンズが撮影位置までくり出されて撮影準備が行なわれることを特徴とする請求項２に記載のレンズ交換式カメラ。
【請求項４】
前記可動機構はさらに、前記レンズ鏡筒ユニットの装着状態で前記バリアを閉じる第４のポジションを有することを特徴とする請求項１〜３のいずれか１項に記載のレンズ交換式カメラ。
【請求項５】
前記可動機構が前記第４のポジションにある時、前記バリアは、前記レンズ鏡筒ユニットの前面を覆うことを特徴とする請求項４に記載のレンズ交換式カメラ。
【請求項６】
さらに、露出開口部を遮光する遮光装置を備え、該遮光装置は前記可動機構が前記第１のポジションにあるとき前記レンズ鏡筒ユニットの着脱に応じて開閉されることを特徴とする請求項１〜５のいずれか１項に記載のレンズ交換式カメラ。
【請求項７】
前記可動機構は、
レンズ着脱レバーと、
該レンズ着脱レバーと連動して回動し、かつ前記レンズ鏡筒ユニットのカムピンと係合可能なカム溝を備えた着脱リングと、
を具備し、前記レンズ鏡筒ユニットをカメラボディに装着したとき、前記レンズ鏡筒ユニットのカムピンと前記着脱リングのカム溝とが係合し、前記レンズ着脱レバーの移動に応じてレンズ鏡筒ユニットが前記カム溝によって規定される運動を行なうことを特徴とする請求項１に記載のレンズ交換式カメラ。
【請求項８】
さらに、前記カメラボディに配置された回転制限溝を有し、前記可動機構が前記第１のポジションにあるとき前記回転制限溝と前記着脱リングのカム溝とが整列し、前記回転制限溝を経て前記レンズ鏡筒ユニットのカムピンを前記カム溝に挿入可能であることを特徴とする請求項７に記載のレンズ交換式カメラ。
【請求項９】
前記レンズ着脱レバーの移動に連動して前記バリアの開閉が行なわれることを特徴とする請求項７に記載のレンズ交換式カメラ。
【請求項１０】
撮影レンズを有するレンズ鏡筒ユニットをカメラボディに装着して使用するレンズ交換式カメラであって、
前記レンズ鏡筒ユニットをカメラボディに固定する可動機構と、
前記レンズ鏡筒ユニット挿入部の前面を覆うバリアと、
を具備し、前記可動機構は少なくとも、
前記バリアを開き前記レンズ鏡筒ユニットをカメラボディに対し着脱可能にする第１のポジションと、
前記レンズ鏡筒ユニットの装着状態で前記バリアを閉じる第２のポジションと、
を具備することを特徴とするレンズ交換式カメラ。
【請求項１１】
前記可動機構はさらに、前記レンズ鏡筒ユニットの装着状態で前記バリアが開かれる第３のポジションを具備することを特徴とする請求項１０に記載のレンズ交換式カメラ。
【請求項１２】
前記可動機構の前記第３のポジションにおいては、さらに前記レンズ鏡筒ユニットの前記撮影レンズが撮影位置までくり出されて撮影準備が行なわれることを特徴とする請求項１１に記載のレンズ交換式カメラ。
【請求項１３】
前記可動機構が前記第２のポジションにある時、前記バリアは、前記レンズ鏡筒ユニットの前面を覆うことを特徴とする請求項１０に記載のレンズ交換式カメラ。
【請求項１４】
さらに、露出開口部を遮光する遮光装置を備え、該遮光装置は前記可動機構が前記第１のポジションにあるとき前記レンズ鏡筒ユニットの着脱に応じて開閉されることを特徴とする請求項１０〜１３のいずれか１項に記載のレンズ交換式カメラ。
【請求項１５】
前記可動機構は、
レンズ着脱レバーと、
該レンズ着脱レバーと連動して回動し、かつ前記レンズ鏡筒ユニットのカムピンと係合可能なカム溝を備えた着脱リングと、
を具備し、前記レンズ鏡筒ユニットをカメラボディに装着したとき、前記レンズ鏡筒ユニットのカムピンと前記着脱リングのカム溝とが係合し、前記レンズ着脱レバーの移動に応じてレンズ鏡筒ユニットが前記カム溝によって規定される運動を行なうことを特徴とする請求項１０に記載のレンズ交換式カメラ。
【請求項１６】
さらに、前記カメラボディに配置された回転制限溝を有し、前記可動機構が前記第１のポジションにあるとき前記回転制限溝と前記着脱リングのカム溝とが整列し、前記回転制限溝を経て前記レンズ鏡筒ユニットのカムピンを前記カム溝に挿入可能であることを特徴とする請求項１５に記載のレンズ交換式カメラ。
【請求項１７】
前記着脱リングのカム溝は、前記可動機構が前記第１のポジションにあるときに前記レンズ鏡筒ユニットを装着し、次に第２のポジションに切り換えたとき、前記レンズ鏡筒ユニットを沈胴固定させるらせん状カム溝部分を有することを特徴とする請求項１５または１６に記載のレンズ交換式カメラ。
【請求項１８】
前記レンズ着脱レバーの移動に連動して前記バリアの開閉が行なわれることを特徴とする請求項１５に記載のレンズ交換式カメラ。
【発明の詳細な説明】
【０００１】
【産業上の利用分野】
本発明は、レンズ交換式カメラに関し、特にカメラボディのレンズ鏡筒ユニット挿入部の開口を覆うバリアを設けたレンズ交換式カメラに関する。
【０００２】
【従来の技術】
従来、レンズ交換式カメラにおいては、カメラボディ内へのほこりの侵入などを防止するために交換レンズとカメラボディとの間の締結部、いわゆるマウント部にレンズを装着しない状態では、別設のボディキャップを装着していた。また、カメラボディにレンズを装着した状態では、レンズ側に別設のレンズキャップを装着していた。
【０００３】
【発明が解決しようとする課題】
しかしながら、上述のようにカメラボディのマウント部にレンズを装着しない状態で別設のボディキャップを装着する場合には、ボディキャップをカメラボディに装着したりあるいは取り外す操作が容易ではなく、かつカメラボディにレンズを装着した場合などボディキャップが不要の場合には、該ボディキャップを紛失する恐れもあり、取扱いが不便であるという不都合があった。
【０００４】
さらに、カメラボディにレンズを装着した場合には、通常ボディキャップは使用せずレンズ側にレンズキャップを装着する。そして、通常、レンズ交換式カメラではボディキャップとレンズキャップとは兼用できない場合も多くさらに取扱いを不便にしていた。これは、交換レンズとして種々の焦点距離のものを使用する場合にレンズ口径が変動するためレンズキャップ自体の大きさも種々の寸法のものが必要なためである。
【０００５】
したがって、本発明の目的は、取扱いが容易でありかつ操作性が良好なバリアを備えたレンズ交換式カメラを提供することにある。
【０００６】
本発明の他の目的は、レンズ交換式カメラにおいて、レンズを装着しない状態で、別個のボディキャップを使用することなく、レンズ鏡筒ユニット挿入部の開口を的確に塞ぐことができるようにし、もって操作性を犠牲にすることなく的確にカメラボディ内への防塵対策を行なうことができるようにすることにある。
【０００７】
本発明のさらに他の目的は、カメラボディにレンズを装着した状態でもレンズ開口部を覆うことができるようにし、もって別個のレンズキャップを使用することなくレンズおよびカメラボディ内へのほこりの侵入などを的確に防止できるようにすることにある。
【０００８】
本発明のさらに他の目的は、交換レンズの装着、非装着にかかわりなく別設のボディキャップおよびレンズキャップなどを必要とすることなくレンズ開口部を的確に塞ぐことができるレンズ交換式カメラを提供することにある。
【０００９】
本発明のさらに他の目的は、交換レンズを装着した場合に、該交換レンズの種類にかかわりなく、しかもそれぞれの交換レンズ用のレンズキャップなどを必要とすることなく、レンズ開口部を的確に覆うことができるようにしたレンズ交換式カメラを提供することにある。
【００１０】
【課題を解決するための手段】
上記目的を達成するため、本発明の第１の態様によれば、撮影レンズを有するレンズ鏡筒ユニットをカメラボディに装着して使用するレンズ交換式カメラにおいて、前記レンズ鏡筒ユニットをカメラボディに固定するための可動機構と、前記レンズ鏡筒ユニット挿入部の前面を覆うバリアとを設け、前記可動機構は少なくとも前記バリアを開き前記レンズ鏡筒ユニットをカメラボディに対し着脱可能にする第１のポジションと、前記レンズ鏡筒ユニットの非装着状態で、前記バリアを閉じる第２のポジションとを備えている。
【００１１】
また、前記可動機構は、前記レンズ鏡筒ユニットの装着状態で前記バリアが開かれる第３のポジションを備えるよう構成することもできる。この場合、前記可動機構が該第３のポジションにあるとき、前記バリアが開かれると共に、前記レンズ鏡筒ユニットの撮影レンズが撮影位置までくり出されて撮影準備が行なわれるようにすると好都合である。
【００１２】
さらに、前記可動機構はレンズ鏡筒ユニットの装着状態で前記バリアを閉じる第４のポジションを備えるよう構成することもできる。この場合は、前記バリアはレンズ鏡筒の前面を覆うよう構成すると好都合である。
【００１３】
また、前記カメラボディは露出開口部を遮光する遮光装置を備え、該遮光装置は前記可動機構が前記第１のポジションにあるとき、前記レンズ鏡筒の着脱に応じて開閉するよう構成すると好都合である。
【００１４】
また、前記可動機構は、レンズ着脱レバーと、該レンズ着脱レバーに連動して回動し、かつ前記レンズ鏡筒ユニットのカムピンと係合可能なカム溝を備えた着脱リングとを具備するものとし、レンズ鏡筒ユニットをカメラボディに装着したとき、該レンズ鏡筒ユニットのカムピンと前記着脱リングのカム溝とが係合し、レンズ着脱レバーの移動によってレンズ鏡筒ユニットが前記カム溝によって規定される運動を行なうよう構成することもできる。
【００１５】
この場合、カメラボディ側に回転制限溝を設け、前記可動機構が前記第１のポジションにあるとき該回転制限溝と前記着脱リングのカム溝とが整列し、該回転制限溝を経て前記レンズ鏡筒ユニットのカムピンを前記カム溝に挿入可能となるよう構成すると好都合である。
【００１６】
また、前記レンズ着脱レバーの移動に連動して前記バリアの開閉が行なわれるよう構成すると好都合である。
【００１７】
また、本発明の第２の態様によれば、撮影レンズを有するレンズ鏡筒ユニットをカメラボディに装着して使用するレンズ交換式カメラにおいて、前記レンズ鏡筒ユニットをカメラボディに固定する可動機構と、前記レンズ鏡筒ユニット挿入部の前面を覆うバリアとを設け、前記可動機構は少なくとも前記バリアを開きレンズ鏡筒ユニットをカメラボディに対し着脱可能にする第１のポジションと、前記鏡筒ユニットの装着状態で前記バリアを閉じる第２のポジションとを具備する。
【００１８】
さらに、前記可動機構はレンズ鏡筒ユニットの装着状態で前記バリアが開かれる第３のポジションを具備するよう構成することもできる。この場合、前記可動機構が第３のポジションにあるとき、前記バリアが開かれると共に、レンズ鏡筒ユニットの撮影レンズが撮影位置までくり出されて撮影準備が行なわれるよう構成すると好都合である。
【００１９】
また、前記可動機構が前記第２のポジションにあるとき、前記バリアは前記レンズ鏡筒ユニットの前面を覆うよう構成すると好都合である。
【００２０】
さらに、露出開口部を遮光する遮光装置を設け、該遮光装置は前記可動機構が前記第１のポジションにあるときレンズ鏡筒ユニットの着脱に応じて開閉されるよう構成すると好都合である。
【００２１】
また、前記可動機構は、レンズ着脱レバーと、該レンズ着脱レバーと連動して回動し、かつ前記レンズ鏡筒ユニットのカムピンと係合可能なカム溝を備えた着脱リングとを有するものとし、レンズ鏡筒ユニットをカメラボディに装着したとき、該レンズ鏡筒ユニットのカムピンと前記着脱リングのカム溝とが係合し、前記レンズ着脱レバーの移動によってレンズ鏡筒ユニットが前記カム溝によって規定される運動を行なうよう構成することもできる。
【００２２】
さらに、カメラボディ側に回転制限溝を設け、前記可動機構が前記第１のポジションにあるとき該回転制限溝と前記着脱リングのカム溝とが整列し、該回転制限溝を経てレンズ鏡筒ユニットのカムピンを前記カム溝に挿入可能となるよう構成すると好都合である。
【００２３】
また、前記着脱リングのカム溝は、前記可動機構が前記第１のポジションにあるときに前記鏡筒ユニットを装着し、次に前記第２のポジションに切り換えたとき、レンズ鏡筒ユニットを沈胴固定させるらせん状カム溝部分を有するよう構成することもできる。
【００２４】
さらに、前記レンズ着脱レバーの移動に連動して前記バリアの開閉が行なわれるようにすると好都合である。
【００２５】
【作用】
上述の本発明の第１の態様に係わるレンズ交換式カメラでは、前記可動機構を第１のポジションにすることによってレンズ鏡筒ユニットをカメラボディに装着しあるいは取り外すことができる。そして、レンズ鏡筒ユニットをカメラボディに装着せずあるいはカメラボディから取り外し、前記可動機構を第２のポジションに切り換えるとレンズ鏡筒ユニットの非装着状態で前記バリアが閉じられる。これによって交換レンズの非装着状態でカメラボディのレンズ開口部が塞がれる。したがって、簡単な操作でカメラボディ内へのほこりその他の侵入を防止できる。また、別設のボディキャップなどを必要としないから、ボディキャップの紛失などの恐れがなく極めて取扱いが便利なカメラボディが得られる。
【００２６】
また、前記可動機構に、レンズ鏡筒ユニットの装着状態でバリアが開かれる第３のポジションを設けた場合には、前記第１のポジションでレンズ鏡筒ユニットをカメラボディに装着した後、前記可動機構を第３のポジションに移動させることにより迅速に撮影を行なうことが可能になる。この場合、可動機構が第３のポジションにされたときに、前記バリアが開かれると共にレンズ鏡筒ユニットの撮影レンズが撮影位置までくり出されて撮影準備が行なわれるよう構成することにより、さらに撮影の操作性が向上しかつ迅速な撮影が行なうことが可能になる。
【００２７】
さらに、前記可動機構にレンズ鏡筒ユニットの装着状態で前記バリアを閉じる第４のポジションを設けることにより、別個のレンズキャップなどを必要とすることなく的確に撮影レンズを保護することが可能になり、カメラの信頼性を向上させることができると共に、カメラの取扱いが極めて便利なものとなる。
【００２８】
また、前記可動機構が第１のポジションにあるとき、レンズ鏡筒の着脱に応じて開閉する遮光装置を露出開口部に設けることによって、撮影用フィルムなどへの遮光が完全に行なわれると共に、撮影時には迅速に露光を行なうことが可能になる。
【００２９】
また、前記可動機構はレンズ着脱レバーと前記着脱リングとを備えたものとし、レンズ鏡筒ユニットをカメラボディに装着したとき、該レンズ鏡筒ユニットのカムピンが前記着脱リングのカム溝に係合し、レンズ着脱レバーの移動によってレンズ鏡筒ユニットが移動するよう構成することにより、簡単な装置構成により信頼性の高いカメラが実現できる。
【００３０】
また、カメラボディ側に回転制限溝を設け、前記可動機構が第１のポジションにあるとき回転制限溝と前記着脱リングのカム溝とが整列するよう構成し、前記回転制限溝を経てレンズ鏡筒ユニットのカムピンを前記カム溝に挿入できるよう構成することにより、レンズ鏡筒ユニットを極めて容易にかつ簡単な操作でカメラボディに装着できるようになる。
【００３１】
また、前記レンズ着脱レバーの移動に連動して前記バリアの開閉が行なわれるよう構成することにより、前記可動機構を第１のポジションから第２のポジションに移動させたときに前記バリアが自動的に閉じられるよう構成することができ、簡単な操作で別個のボディキャップおよびレンズキャップなどを必要とすることなく的確にカメラボディおよびレンズを保護することが可能になる。
【００３２】
次に、上述の本発明の第２の態様に係わるレンズ交換式カメラにおいては、前記可動機構を第１のポジションにしてレンズ鏡筒ユニットをカメラボディに装着した後、前記可動機構を第２のポジションに移動させることによりレンズ鏡筒ユニットの装着状態で前記バリアを閉じることができる。したがって、別個のレンズキャップなどを必要とすることなく撮影レンズを保護することができ、操作性が良好でありかつ信頼性の高いレンズ交換式カメラが実現できる。
【００３３】
さらに、前記可動装置にレンズ鏡筒ユニットの装着状態で前記バリアが開かれる第３のポジションを設けることにより、前記可動機構を第３のポジションに設定するのみで、撮影または撮影準備を行なうことができ、極めて操作性の良いカメラが実現できる。この場合、前記可動機構が第３のポジションに設定されたとき、前記バリアが開かれると共に、レンズ鏡筒ユニットの撮影レンズが撮影位置までくり出されて撮影準備が行なわれるよう構成すれば、さらに操作性が向上しかつ迅速な撮影を行なうことが可能になる。
【００３４】
さらに、露出開口部を遮光する遮光装置を設け、該遮光装置は前記可動機構が第１のポジションにあるときレンズ鏡筒ユニットの着脱に応じて開閉されるよう構成することにより、撮影用フィルム部分などの遮光を的確に行なうことができ、かつ撮影時には迅速な撮影ができるようになる。
【００３５】
また、前記可動機構はレンズ着脱レバーと前記着脱リングとを具備するものとし、レンズ鏡筒ユニットをカメラボディに装着したときレンズ鏡筒ユニットのカムピンと前記着脱リングのカム溝とが係合し、前記レンズ着脱レバーの移動によってレンズ鏡筒ユニットが移動するよう構成することにより、簡単な構成で信頼性の高いレンズ交換式カメラが実現できる。
【００３６】
また、カメラボディ側に回転制限溝を設け、前記可動機構が第１のポジションにあるとき該回転制限溝と前記着脱リングのカム溝とが整列して該回転制限溝を介してレンズ鏡筒ユニットのカムピンを前記カム溝に挿入可能であるよう構成することにより、レンズ鏡筒ユニットを簡単な操作で的確にカメラボディに装着できるようになる。
【００３７】
また、前記着脱リングのカム溝は前記可動機構が第１のポジションにあるときにレンズ鏡筒ユニットを装着し、次に第２のポジションに切り替えた場合、レンズ鏡筒ユニットが沈胴固定されるらせん状カム溝部分を有するものとすることにより、前記レンズ着脱レバーの操作によって前記着脱リングを回転させるのみでレンズ鏡筒ユニットを確実にカメラボディ内に沈胴固定させることができる。これによってレンズ装着時の操作性が大幅に向上する。
【００３８】
さらに、前記レンズ着脱レバーの移動に連動して前記バリアの開閉が行なわれるよう構成することにより、別個のボディキャップあるいはレンズキャップを使用することなく迅速にカメラボディおよび撮影レンズを保護することが可能になる。したがって、信頼性が高く取扱いが便利なレンズ交換式カメラが実現できる。
【００３９】
要するに、上記構成に関わるレンズ交換式カメラにおいては、前記可動機構の移動に応じてレンズ鏡筒ユニットの挿入部の開口を覆うよう構成したから、レンズの装着、非装着状態にかかわりなくカメラボディあるいは撮影レンズ内へのごみ、異物などの侵入を防止することができる。したがって、別設のボディキャップあるいはレンズキャップを使用することなくカメラボディおよび撮影レンズを保護することができ、極めて取扱いが便利なレンズ交換式カメラが実現できる。
【００４０】
また、前記バリアの操作はレンズ鏡筒ユニットを固定する可動機構に連動して行なうように構成したから、操作性も極めて良好である。
【００４１】
さらに、前記レンズ鏡筒ユニットの着脱に応じて開閉する遮光装置を露出開口部に設けたから、レンズ鏡筒ユニットをカメラボディから取り外した場合にも撮影用フィルムなどへの露光の恐れはない。また、レンズ鏡筒ユニットを装着した場合には遮光装置が開かれているから、撮影操作を迅速に行なうことが可能になる。
【００４２】
【実施例】
以下、図面を参照して本発明の実施例につき説明する。図１は、本発明の１実施例に係わるレンズ交換式カメラの外観を示す斜視図である。図１において、カメラボディ１は、外郭をカバー２によって覆われている。このカメラの例えば上面には、レリーズボタン３が設けられ、前面には、窓４とスピードライト５が配置されている。窓４の中には周知の測光装置、測距装置、およびファインダなどが配置されている。また、中央部には、レンズ鏡筒ユニット５１が進退するための開口部２ａが設けられている。開口部２ａに続くカメラボディ１の部分は円筒形状となっている。この円筒形状部分には、後述するレンズ鏡筒ユニットの着脱操作のために、回転制限溝１ａが設けられている。前記カメラボディの円筒形状部分の後部にはカメラボディ１に対して回転可能かつ光軸方向移動不能に着脱リング８が設けられている。着脱リング８には、カム溝８ａが設けられ、レンズ鏡筒ユニット５１の外筒５２の外周に設けられたカムピン５２ｂと係合する。また、レンズ鏡筒ユニット５１の外筒５２の外周には回転制限ピン５２ａが設けられ、前記回転制限溝１ａと係合する。
【００４３】
また、レンズ鏡筒ユニット５１には、後述するカメラボディ１に組み込まれたカップリングギアと係合する鏡筒ギア５３ａが設けられている。レンズ鏡筒ユニット５１の外筒５２の内部には、撮影レンズなどを含む可動筒５４が設けられている。
【００４４】
図２は、図１のレンズ交換式カメラの底面を示す平面図であり、カメラボディに対しレンズ鏡筒ユニット５１が装着されて撮影準備が行なわれている状態を示している。すなわち、カバー２には、レンズ着脱レバー９が矢印方向に、すなわち図面では紙面に対し左右方向に、スライド可能に支持されている。カバー２には、レンズ鏡筒ユニット装着状態で、バリアが閉じられた非撮影状態を示す指標「ＯＦＦ」、レンズ鏡筒ユニットが装着固定され該レンズ鏡筒ユニットの可動筒５４がくり出された撮影準備状態を示す「ＯＮ」、レンズ鏡筒ユニットの着脱可能状態を示す「ＩＮＳＥＲＴ」、そしてレンズ鏡筒ユニット非装着状態でバリアが閉じた状態を示す「ＣＬＯＳＥ」の各指標が設けられている。したがって、レンズ着脱レバー９の指標９ｂを所望の指標位置に合せるようにスライドさせることで、上述の各機能を得ることが可能になる。なお、各位置での機能の詳細は後述する。
【００４５】
図３は、図１の回路に使用されている電気回路の構成を示すブロック図である。図３の回路には、例えばマイクロプロセッサによって構成される制御回路４０が含まれている。この制御回路４０には、周知の測距装置４１、測光装置４２、フィルム給送装置４３が接続されている。また、レンズ鏡筒の駆動のため鏡筒モータ２１および駆動位置の検出のためのフォトインタラプタ２３が接続されている。
【００４６】
また、制御回路４０には、操作スイッチとして、レリーズ釦の半押しスイッチＳ１、全押しスイッチＳ２、そして鏡筒基準位置を検出するスイッチＫＹＳが接続されている。なお、スイッチＫＹＳなどの機能については後に説明する。
【００４７】
さらに、制御回路４０には、後に説明するレンズ着脱レバー９に連動し、カメラの作動状態を指示するスイッチエンコーダ１０が接続されている。
【００４８】
さらに、制御回路４０には、レンズ鏡筒ユニットのシャッター５５および撮影レンズ情報を記憶する不揮発性記憶装置、例えばＥ２ＰＲＯＭ、５８が接続されている。
【００４９】
なお、制御回路４０に接続された以上の各装置は、必要に応じて、図示しないインタフェース回路を介して制御回路４０に接続される。また、図３の回路の動作については後に説明する。
【００５０】
図４〜図８は、一例として単焦点レンズ、例えば焦点距離３５ｍｍの撮影レンズ、を有するレンズ鏡筒をカメラボディに装着して使用する場合の各過程を示すカメラの断面図である。
【００５１】
図４は、前記レンズ着脱レバー９が「ＣＬＯＳＥ」の位置にあり、レンズ鏡筒ユニット５１がカメラボディ１から外れた状態を示している。この状態では、バリア２８が閉じられてカメラボディ前面のレンズ鏡筒ユニット挿入部を閉鎖している。
【００５２】
カメラボディ１の下部には、レンズ鏡筒ユニット５１の装着時に鏡筒が回転するのを防止する回転制限溝１ａが設けられている。該回転制限溝１ａが形成されているカメラボディ１の部分の後方に連続して、レンズ鏡筒ユニット５１を着脱する着脱リング８が配置され、該着脱リング８はカメラボディ１に対して回転自在でありかつ光軸方向移動不能に支持されている。着脱リング８にはレンズ鏡筒ユニット５１の装着時にレンズ鏡筒ユニット５１を沈胴固定するためのらせん状のカム溝８ａが設けられている。
【００５３】
カバー２には、レンズ着脱レバー９が保持されており、該レンズ着脱レバー９は紙面垂直方向に移動可能である。レンズ着脱レバー９には着脱リング８の外周に形成されたギア８ｂと係合するラック９ａが設けられている。したがって、着脱レバー９を紙面垂直方向にスライドさせると、着脱リング８は光軸を中心に回転する。一方、着脱レバー９にはブラシ９ｂが設けられており、カメラボディ内のスイッチエンコーダ１０のパターン上を移動することで着脱レバー９の状態に応じた信号を発生する。
【００５４】
レンズ鏡筒ユニット５１の装着は、レンズ着脱レバー９を所定位置に設定しレンズ鏡筒ユニット５１のカムピン５２ｂを着脱リング８のカム溝８ａに係合させることによって行なわれるが、その詳細については後に説明する。
【００５５】
カメラボディ１の後部には、レンズ鏡筒ユニット５１との電気的接続を得るための接点ピン１１が設けられている。
【００５６】
また、フィルムに露光を行なうためのアパーチャ１２の前部には遮光羽根１３が設けられており、該遮光羽根１３はレンズ鏡筒ユニット５１がカメラボディ１から取り外されている場合には図４に示すように閉じられてアパーチャ１２を遮光している。
【００５７】
カメラボディ１の上部にはレンズ鏡筒駆動用の鏡筒モータ２１が設けられている。鏡筒モータ２１のシャフトの一端２１ａには、放射状にスリットが形成された羽根車２２が装着されている。そして、フォトインタラプタ２３により該スリットの通過を読み取り、鏡筒モータ２１の回転量をパルスとして検出する。鏡筒モータ２１のシャフトの他端２１ｂにはピニオンギア２４が装着されており、該ピニオンギア２４はカメラボディ１の軸受け部１ｂで支持されるカップリングギア２５と係合している。カップリングギア２５は圧縮バネ２６により紙面左方向、すなわち撮影光軸左方向に付勢されている。
【００５８】
また、カメラボディ１のレンズ鏡筒ユニット挿入部にはレンズ鏡筒ユニット５１の外筒５２の外周と接触する摩擦部材２７が円弧状に配置されている。
【００５９】
次に鏡筒ユニット５１の構成について説明する。鏡筒ユニット５１は、外筒５２の内部に可動筒５４が光軸方向移動可能に配置されている。そして可動筒５４内には前群レンズ８１が固定保持されている。同様に、シャッタ５５も可動筒５４に固定されている。シャッタ５５はシャッタ羽根５５ａを含む。シャッタ羽根５５ａの後方の後群レンズ８３は、後群レンズ室８４に保持され、該後群レンズ室８４は可動筒５４に固定されている。
【００６０】
可動筒５４の後端外周には雄ヘリコイドネジ５４ａが形成されており、回転筒５３の内周に形成された雌ヘリコイドネジ５３ｂと螺合している。回転筒５３はその外周を前記外筒５２内に回転自在に支持されており、光軸方向に関しては外筒５２と飾り板５６で移動不能に支持されている。回転筒５３の後端外周には鏡筒ギア５３ａが設けられている。
【００６１】
飾り板５６には直進キー５６ａが設けられており、後群レンズ室８４に設けられたキー溝８４ａと接触している。したがって、回転筒５３が回転すると、可動筒５４は直進キー５６ａとキー溝８４ａにより回転を制限されているので、ヘリコイドネジにより光軸方向に進退する。
【００６２】
飾り板５６には前述の鏡筒スイッチＫＹＳが設けられている。鏡筒スイッチＫＹＳは、可動筒５４が外筒５２内部に収められている場合には後群レンズ室８４の一端８４ｂと接触している。
【００６３】
シャッタ５５からは、シャッタ駆動に関する信号を伝達するためのフレキシブルプリント板（ＦＰＣ）５９が延びている。ＦＰＣ５９には、前記不揮発性記憶装置５８の素子が実装されている。該不揮発性記憶装置５８には例えば撮影レンズの焦点距離、Ｆナンバー、繰り出し量などの撮影レンズに関する情報が書き込まれている。ＦＰＣ５９はいったんカメラ前方に導かれ、直進キー５６ａの先端部で折り返して飾り板５６の後端に延びかつ接合されている。ＦＰＣ５９は、飾り板５６の後端部に、カメラボディ１の接点ピン１１と対向する位置に、通信用のパターン５９ａを有する。
【００６４】
また、本実施例では、外筒５２の外周には前述の回転制限ピン５２ａとカムピン５２ｂがそれぞれ円周上に３カ所（３組）設けられている。３組のピンは外筒５２の円周上に互いに異なる角度間隔で配置されており、レンズ鏡筒ユニット５１の装着角度位置を１つに限定するよう構成されている。ただし、１組の回転制限ピン５２ａとカムピン５２ｂとは同一角度上に配置されている。
【００６５】
次に、以上のような構成を有するレンズ鏡筒ユニット５１のカメラボディ１への装着過程を説明する。この説明の際に、図４〜図８、およびレンズ鏡筒ユニットの装着過程での着脱リング８の動作を示す展開図である図９から図１２をも参照する。
【００６６】
図４および図９は、共に着脱レバー９が「ＣＬＯＳＥ」の位置にあり、レンズ鏡筒ユニット５１がカメラボディ１から外れた状態を示している。この状態では、図９に示されているように、バリア２８が閉じられており、かつカメラボディ１の回転制限溝１ａと着脱リング８のカム溝の一端８ｃとは互いにずれた位置にある。
【００６７】
この状態で、着脱レバー９を「ＣＬＯＳＥ」の位置から「ＩＮＳＥＲＴ」の位置にスライドさせると、後述する機構によりバリア２８が開く。また、着脱レバー９の移動に応じて着脱リング８が回動し、図１０に示されるように、着脱リング８のカム溝の一端８ｃとカメラボディ１の回転制限溝１ａが一直線上に整列する。
【００６８】
したがって、この状態で、レンズ鏡筒ユニット５１をカメラボディ１に挿入していくと、レンズ鏡筒ユニット５１の外筒５２のカムピン５２ｂはカメラボディ１の回転制限溝１ａを通って着脱リング８のらせん状のカム溝８ａの一端８ｃに達する。またレンズ鏡筒ユニット５１の外筒５２の回転制限ピン５２ａは、カメラボディ１の回転制限溝１ａの一端１ｃに達する。図５および図１０はこの状態を示している。なお、このとき、レンズ鏡筒ユニット５１は、外筒５２の外周を摩擦部材２７によって保持されているので、容易に脱落することはない。
【００６９】
次に、着脱レバー９を「ＩＮＳＥＲＴ」位置から「ＯＮ」位置にスライドさせると図１１に示されるように、着脱リング８はさらに紙面右方向に移動する。これによって、レンズ鏡筒ユニット５１の外筒５２のカムピン５２ｂは着脱リング８のカム溝の斜面８ｄに沿って動き、固定位置８ｅに達する。このとき、外筒５２の回転制限ピン５２ａはカメラボディ１の回転制限溝１ａに係合しているので外筒５２は回転をせず、光軸方向のみに移動する。すなわち、レンズ鏡筒ユニット５１が回転せずに、光軸方向に沈胴することになる。図６および図１１はこの状態を示す。
【００７０】
この沈胴過程で、レンズ鏡筒ユニット５１の回転筒５３の鏡筒ギア５３ａはカメラボディ側のカップリングギア２５と係合する。このとき、仮に鏡筒ギア５３ａとカップリングギア２５の歯先が干渉しても、圧縮バネ２６の作用で、カップリングギア２５が逃げ、鏡筒モータ２１が回転することで正常な噛み合いが得られる。
【００７１】
なお、レンズ鏡筒ユニット５１が上述のようにして沈胴を完了するのに連動して、後述する機構により、アパーチャ１２を覆っている遮光羽根１３が、図６に示されるように、退避される。
【００７２】
このようにしてレンズ鏡筒ユニット５１の沈胴が完了すると、レンズ鏡筒ユニット５１の飾り板５６に設けられた通信用パターン５９ａとカメラボディ側に設けられた接点ピン１１とが接触する。制御回路４０は、この接触に応じて、レンズ鏡筒ユニット５１の不揮発性記憶装置５８から、前述のように、焦点距離、Ｆナンバ、繰り出し量その他の、レンズ情報を読み込む。そして、制御回路４０は該レンズ情報などに基づき鏡筒モータ２１を駆動して、前述の機構によりレンズ鏡筒ユニット５１の可動筒５４、したがって撮影レンズ８１，８３、を繰り出す。この繰り出しの開始により、鏡筒スイッチＫＹＳに接触していた後群レンズ室８４の端面８４ｂが該鏡筒スイッチＫＹＳから離れ、該鏡筒スイッチＫＹＳが作動する。制御回路４０は、この鏡筒スイッチＫＹＳの作動信号とフォトインタラプタ２３のパルスカウント値からレンズの繰り出し量を演算し、所定の撮影準備位置で可動筒５４を停止させる。図７はこの状態を示す。
【００７３】
この状態で、レリーズ釦３（図１）を半押しすると、半押しスイッチＳ１（図３）がオンとなり、測距装置４１により被写体距離が測定される。制御回路４０は測距装置４１からの被写体距離の測定情報などに基づきレンズの繰り出し量を算出し、鏡筒モータ２１を駆動制御して可動筒５４を前記繰り出し量に対応する所定の位置まで移動させる。そして、さらに全押しスイッチＳ２（図３）がオンにされると、測光装置４２によって被写体輝度を測定し、シャッタ５５を作動させて露光を行なう。その後、必要に応じて可動筒５４を撮影準備位置に戻し、フィルム給送装置４３によりフィルムを１駒巻き上げる。
【００７４】
撮影が終了した後、着脱レバー９を「ＯＮ」位置から「ＯＦＦ」位置にスライドさせると、鏡筒モータ２１が駆動され、可動筒５４が沈胴する。また、後述する機構によりバリア２８が閉じて可動筒５４の前面を覆う。図８および図１２はこの状態を示す。
【００７５】
この場合、レンズ鏡筒ユニット５１のカムピン５２ｂは、着脱リング８の固定位置８ｅから８ｆに到達するが、光軸方向の位置は変化しないように構成されている。
【００７６】
なお、レンズ鏡筒ユニット５１をカメラボディ１から取り外す場合は、着脱レバー９を「ＯＦＦ」位置または「ＯＮ」位置から「ＩＮＳＥＲＴ」位置にスライドさせる。これにより、前述の方法と逆の作動によりレンズ鏡筒ユニット５１は図５および図１０に示されるような装着準備位置に戻され、取り外し可能な状態になる。
【００７７】
そして、レンズ鏡筒ユニット５１を手で取り外した後、着脱レバー９を「ＩＮＳＥＲＴ」位置から「ＣＬＯＳＥ」位置にスライドさせると、後述の機構によりバリア２８がレンズ鏡筒挿入部開口を閉鎖する。この状態は図４および図９に示されている通りである。
【００７８】
次に、バリア２８および遮光羽根１３の駆動機構の詳細につき、前記着脱レバー９などの各ポジションに対応して説明する。図１３から図１６までは、それぞれ、着脱レバー９が「ＣＬＯＳＥ」位置、「ＩＮＳＥＲＴ」位置、「ＯＮ」位置、および「ＯＦＦ」位置にある場合のバリア２８および遮光羽根１３の駆動機構の状態を示す斜視図である。
【００７９】
すなわち、図１３は、前記図４および図９に対応し、着脱レバー９が「ＣＬＯＳＥ」位置にある状態を示している。遮光羽根１３は３枚の羽根１４，１５，１６から構成されており、アパーチャ１２を遮光している。それぞれの羽根１４，１５，１６は回転軸１４ａ，１４ｂ；１５ａ，１５ｂ；１６ａ，１６ｂで２本の平行リンク１７と１８にそれぞれ回転自在に支持されている。平行リンク１７と１８はそれぞれ軸１７ａ，１８ａを中心に回転自在に支持されている。
【００８０】
２本の平行リンク１７，１８のうち、一方の平行リンク１８ａにはピン１８ｂが植設されている。また平行リンク１８は、軸１８ａを中心として時計方向に図示しないバネによって付勢されている。したがって、ピン１８ｂは、着脱レバー９のカム９ｃのカム面９ｄに当接しており、平行リンク１７，１８は図１３に示す位置に保持され、それによって遮光羽根１３を構成する３枚の羽根部材１４，１５，１６はアパーチャ１２を遮光する状態を維持している。
【００８１】
一方、バリア２８は、軸２８ａを中心に回転自在に支持されており、かつ図示しないバネによって軸２８ａを中心に時計方向に付勢されている。バリア２８からは腕部２８ｂが延びており、この腕部２８ｂは、軸２９ａを中心に回転自在に支持された第１レバー２９から垂直に垂れ下がった腕部２９ｂと当接している。また、第２レバー３０が、前記第１レバー２９の回転軸２９ａと同軸に回転自在に支持されている。
【００８２】
第１レバー２９と第２レバー３０との間にはねじりバネ３１が回転軸２９ａを中心に支持されており、ねじりバネ３１の一端３１ａは前記第１レバー２９の腕部２９ｂに当接し、他端３１ｂは前記第２レバー３０から立ち上がった腕部３０ａに当接している。したがって、第１レバー２９の腕部２９ｃと第２レバー３０の腕部３０ａは当接した状態で保持されている。すなわち、ねじりバネ３１により、第１レバー２９と第２レバー３０は一体となって回転する。また、第２レバー３０は、ピン３０ｂが植設されており、着脱レバー９のカム部９ｈのカム溝９ｊと係合している。カム溝９ｊは、後に述べるように、着脱レバー９を矢印Ａ方向に移動させるに応じて第２レバー３０のピン３０ｂを遮光羽根１３の方向に移動させ、次に遮光羽根１３から一定距離の状態を維持し、さらに遮光羽根１３から遠ざけるようその形状が規定されている。したがって、図１３の状態では、第２レバー３０のピン３０ｂは遮光羽根１３から遠ざかった位置にあり、第１レバー２９の腕部２９ｂはバリア２８の腕部２８ｂを押圧していないかあるいはほとんど押圧していないので、バリア２８は図示しないバネによってレンズ鏡筒ユニットの挿入部開口を閉鎖する位置にある。
【００８３】
なお、この状態でバリア２８を開放側に外力で動かした場合にも、バリア２８の腕部２８ｂと第１のレバー２９の腕部２９ｂの係合が外れるだけであり、機構部品を破壊することはない。
【００８４】
着脱レバー９にはスイッチエンコーダ１０が配置されている。該スイッチエンコーダ１０は着脱レバー９に固定され絶縁基板上に形成されたパターン１０ａ，１０ｂおよび１０ｃと、これらのパターン上を摺動するブラシ９ｂを含む。パターン１０ａはグランド（ＧＮＤ）パターンであり、パターン１０ｂおよび１０ｃは信号パターンである。ＧＮＤパターン１０ａと各信号パターン１０ｂ，１０ｃをブラシ９ｂで導通させ、導通状態に対応した信号を制御回路４０に伝達する。
【００８５】
図１３の状態では、信号パターン１０ｂがＧＮＤパターン１０ａと非導通であり、信号パターン１０ｃがＧＮＤパターン１０ａと導通している。したがって、制御回路４０は、この導通状態を検出して、レンズ鏡筒ユニット５１が装着されておらず、バリア２８が閉じられているものとして認識する。
【００８６】
次に、着脱レバー９を「ＣＬＯＳＥ」位置から「ＩＮＳＥＲＴ」位置にスライドさせると、つまり図１３において矢印Ａ方向に移動させると、第２レバー３０のピン３０ｂは着脱レバー９のカム部９ｈに沿って動き、カム溝の位置９ｋに移動する。これに応じて、第２レバー３０は回転軸２９ａの回りに反時計方向に回転し、ねじりバネ３１を介して第１レバー２９も反時計方向に回転する。そして、第１レバー２９の腕部２９ｂがバリア２８の腕部２８ｂを押すので、バリア２８は回転軸２８ａの回りに反時計方向に回転し、レンズ鏡筒ユニット５１の挿入部から退避する。
【００８７】
この過程で、平行リンク１８に植設されたピン１８ｂはカム９ｃのカム面９ｅに当接しているが、カム面９ｅの高さは変化しないため遮光羽根１３はアパーチャ１２を遮光した状態を維持する。
【００８８】
また、ブラシ９ｂは、信号パターン１０ｂおよび１０ｃともグランドパターン１０ａと導通状態となり、制御回路４０は、レンズ鏡筒ユニット５１が装着準備位置で、バリア２８が開放されているものと認識する。図１４はこのときの状態を示す。
【００８９】
次に、前述のようにしてレンズ鏡筒ユニットをカメラボディ１に挿入した後、着脱レバー９を「ＩＮＳＥＲＴ」位置から「ＯＮ」位置にスライドさせる。すなわち、図１４において着脱レバー９を矢印Ａ方向に移動させると、第２レバー３０のピン３０ｂは着脱レバー９のカム部９ｈに沿って動き、カム溝の位置９ｍに移動する。このときカム部９ｈの高さは変化しないので第２レバー３０は回転せず、したがって第１レバー２９およびバリア２８も回転せず、バリア２８は開放状態を維持する。この状態を図１５に示す。
【００９０】
一方、平行リンク１８に植設されたピン１８ｂはカム９ｃのカム面９ｆ上に移動する。これにより、カム面の高さが低くなるため、平行リンク１７，１８はそれぞれ回転軸１７ａ，１８ａの回りに回転し、羽根部材１４，１５，１６はアパーチャ１２から退避する。
【００９１】
この状態では、ブラシ９ｂは、信号パターン１０ｂがグランドパターン１０ａと導通し、信号パターン１０ｃはグランドパターン１０ａと非導通状態となる。これにより、制御回路４０は、レンズ鏡筒ユニット５１が装着され、バリア２８が開放されていると認識する。したがって、制御回路４０は、このような信号パターンの状態に対応する信号を受けると前述したように鏡筒モータ２１を駆動してレンズ鏡筒ユニット５１の可動筒５４を所定の撮影準備位置まで繰り出す。
【００９２】
次に着脱レバー９を図１５の矢印Ａ方向にさらに移動させ、「ＯＮ」位置から「ＯＦＦ」位置にスライドさせる。これによって、スイッチエンコーダ１０の信号パターン１０ｂおよび１０ｃは共にグランドパターン１０ａと非導通の状態になる。この状態に応じた信号を受けて制御回路４０は鏡筒モータ２１を駆動し、レンズ鏡筒ユニット５１の可動筒５４を沈胴させる。
【００９３】
また、着脱レバー９の移動に応じて、第２レバー３０のピン３０ｂは着脱レバー９のカム部９ｈに沿って動き、カム溝の位置９ｎに移動する。これによって、第２レバー３０は回転軸２９ａの回りに時計方向に回転し、第２レバー３０の腕部３０ａが第１レバー２９の腕部２９ｃを押し、第１レバー２９も時計方向に回転する。これによって、第１レバー２９の腕部２９ｂがバリア２８の腕部２８ｂに与えている押圧力が解除される。したがって、バリア２８は図示しないバネによる付勢力によって回転軸２８ａの回りに時計方向に回転し、レンズ鏡筒ユニット５１の挿入部を閉鎖する。
【００９４】
この過程で、平行リンク１８に植設されたピン１８ｂはカム９ｃのカム面９ｆに当接しているが、その高さは変化しないため遮光羽根１３はアパーチャ１２を開放した状態を維持する。図１６はこの状態を示す。
【００９５】
なお、着脱レバー９を「ＯＦＦ」位置から前述と逆方向に「ＣＬＯＳＥ」位置に向かって動かす場合は、上記と逆の作動が行なわれる。
【００９６】
また、上記実施例においては、レンズ鏡筒装着時には遮光羽根１３が開放しているが、遮光羽根１３は例えばレンズ鏡筒ユニット５１の可動筒５４が繰り出されて撮影準備が行なわれている場合にのみ開放し、その他の場合には閉じるように構成すれば遮光性はさらに向上する。
【００９７】
なお、着脱リング８および着脱レバー９などの可動装置は手動操作に限らず、例えばモータなどの電動駆動源を利用して移動させるようにしてもよい。
【００９８】
【発明の効果】
以上のように、本発明によれば、レンズ交換式カメラにおいて、カメラボディ側に内臓したバリアで、レンズ鏡筒ユニットの挿入部開口を覆うように構成したので、レンズの装着、非装着にかかわらずカメラボディ内へのゴミなどの侵入および外力による悪影響等を防止でき、信頼性の高いレンズ交換式カメラが実現できる。また、従来のボディキャップあるいはレンズキャップなどのような別設の装置を使用しないから、カメラの取り扱い上の利便性が増し、ボディキャップなどの紛失の恐れもなくなる。
【００９９】
さらに、バリアの操作を、レンズ鏡筒ユニットを固定する可動機構に連動して行なうように構成したので、レンズ鏡筒ユニットの挿入部開口を開閉する動作が自動的に行なわれ極めて操作性のよいカメラが実現できる。
【０１００】
さらに、撮影時以外ではバリアが閉じるから、レンズ装着時にはレンズのシャッタ羽根とバリアで二重遮光され、レンズ非装着時には遮光羽根とバリアで二重遮光され、いずれの場合も遮光性が向上する。
【図面の簡単な説明】
【図１】本発明の一実施例に係わるレンズ交換式カメラの外観を示す斜視図である。
【図２】図１のレンズ交換式カメラの底面の状態を示す平面図である。
【図３】図１のレンズ交換式カメラの電気的構成を示すブロック回路図である。
【図４】図１のレンズ交換式カメラのレンズ鏡筒ユニット装着前の状態を示す断面図である。
【図５】図１のレンズ交換式カメラのレンズ鏡筒ユニット装着準備状態を示す断面図である。
【図６】図１のレンズ交換式カメラのレンズ鏡筒ユニット固定時の状態を示す断面図である。
【図７】図１のレンズ交換式カメラにおいて、レンズ鏡筒ユニットが固定されかつ撮影準備が行なわれた状態を示す断面図である。
【図８】図１のレンズ交換式カメラにおいて、レンズ鏡筒ユニットが固定されかつバリアが閉じられた状態を示す断面図である。
【図９】図１のレンズ交換式カメラの「ＣＬＯＳＥ」時の着脱リングの位置関係を示す展開図である。
【図１０】図１のレンズ交換式カメラにおける「ＩＮＳＥＲＴ」時の着脱リングの位置関係を示す展開図である。
【図１１】図１のレンズ交換式カメラにおける「ＯＮ」時の着脱リングの位置関係を示す展開図である。
【図１２】図１のレンズ交換式カメラの「ＯＦＦ」時の着脱リングの位置関係を示す展開図である。
【図１３】図１のレンズ交換式カメラの「ＣＬＯＳＥ」時のバリアと遮光羽根の作動状態を示す斜視図である。
【図１４】図１のレンズ交換式カメラの「ＩＮＳＥＲＴ」時のバリアと遮光羽根の作動状態を示す斜視図である。
【図１５】図１のレンズ交換式カメラの「ＯＮ」時のバリアと遮光羽根の作動状態を示す斜視図である。
【図１６】図１のレンズ交換式カメラの「ＯＦＦ」時のバリアと遮光羽根の作動状態を示す斜視図である。
【符号の説明】
１  カメラボディ
１ａ  回転制限溝
８  着脱リング
８ａ  カム溝
９  着脱レバー
９ｂ  ブラシ
９ｃ  カム
９ｈ  バリア用カム部
１０  スイッチエンコーダ
１１  接点ピン
１２  アパーチャ
１３  遮光羽根
１７，１８  平行リンク
２１  鏡筒モータ
２３  フォトインタラプタ
２５  カップリングギア
２８  バリア
２９  第１レバー
３０  第２レバー
５１  レンズ鏡筒ユニット
５２  外筒
５３  回転筒
５３ａ  鏡筒ギア
５４  可動筒
５５  シャッタ
５８  不揮発性記憶装置
８１  前群レンズ
８３  後群レンズ
Ｓ１  半押しスイッチ
Ｓ２  全押しスイッチ
ＫＹＳ  鏡筒スイッチ
【図１】
0003550602.tif 000002
【図２】
0003550602.tif 000003
【図３】
0003550602.tif 000004
【図４】
0003550602.tif 000005
【図５】
0003550602.tif 000006
【図６】
0003550602.tif 000007
【図７】
0003550602.tif 000008
【図８】
0003550602.tif 000009
【図９】
0003550602.tif 000010
【図１０】
0003550602.tif 000011
【図１１】
0003550602.tif 000012
【図１２】
0003550602.tif 000013
【図１３】
0003550602.tif 000014
【図１４】
0003550602.tif 000015
【図１５】
0003550602.tif 000016
【図１６】
0003550602.tif 000017